(57)【要約】      （修正有）【課題】使用したばかりで丁寧に巻いていない三つ折りタイプの折り畳み傘でも、一般の長傘でも容易に格納でき、かつ、容易に取り出せる傘袋を提供する。【解決手段】傘袋の袋状本体（１）を三つ折りタイプの折り畳み傘が折り畳んだ状態でも格納できる幅又は広さと、一般の長傘でも格納可能な長さを有する傘袋とする。或いは、本体（１）の三つ折りタイプの折り畳み傘が折り畳んだ状態でちょうど格納できる深さの所までの本体上部（２）を丁寧に巻いていない三つ折りタイプの折り畳み傘でも容易に挿入可能な広さとし、本体上部（２）の下部の両側縁部（６）を内側に向けて適宜段差（３）を設ける。【選択図】図３
2006141981.tif 000002
【特許請求の範囲】
【請求項１】
使用したばかりで丁寧に巻いていない三つ折りタイプの折り畳み傘でも、又は、一般の長傘でも格納できる傘袋。
【請求項２】
使用したばかりで丁寧に巻いていない三つ折りタイプの折り畳み傘でも、又は、一般の長傘でも格納でき、かつ、三つ折りタイプの折り畳み傘の場合、下まで落ち込まず、容易に取り出せる傘袋。
【請求項３】
掛け紐を有する請求項１又は請求項２の傘袋。
【請求項４】
手提げ用開口部を有する請求項１又は請求項２の傘袋。
【請求項５】
地球環境に配慮したポリエチレン製等の素材でできた請求項１又は請求項２の傘袋。
【発明の詳細な説明】
【発明の詳細な説明】
【技術分野】
【０００１】Ａ．請求項１について
この発明は、三つ折りタイプの折り畳み傘を使用したばかりで折り畳んで丁寧に巻いていない状態でも容易に挿入できるだけの幅又は広さと、一般の長傘が格納できるだけの長さを有するか、或いは、一般の長傘向けの幅又は広さ、及び、長さを有するものの、ゴム製等の伸縮性に富んだ素材を使用することにより三つ折りタイプの折り畳み傘を丁寧に巻いていない状態でも容易に挿入できるようにした傘袋である。
Ｂ．請求項２について
この発明は、三つ折りタイプの折り畳み傘が折り畳んだ状態でちょうど格納できる深さの所までの上部は、使用したばかりで丁寧に巻いていない状態でも容易に挿入可能な広さを有し、それより下部は側縁部を内側に向けて段差をつけたり、内側に向けてアーチ状に湾曲させて絞り込み一般の長傘も格納可能な太さと長さを有する逆凸型としたり、上部は同形状とし下部を直線的に絞り込んだ砲丸型としたり、又は、上部は三つ折りタイプの折り畳み傘が折り畳んだ状態で挿入できる幅の開口部を有する逆三角形で、下部は一般の長傘も格納可能な太さと長さを有する漏斗型としたり、或いは、開口部からすぐに一般の長傘が挿入可能な最下部まで両側縁部を内側に向けて急に狭めた略円錐形にした形状や、開口部から直線的に急激に狭めた三角形状とした傘袋用のシート２枚を開口部以外の周縁部を張り合わせ袋状にした傘袋か、更に又は、下部は上記と同形状とし上部を楔形にした傘袋で、三つ折りタイプの折り畳み傘も容易に挿入でき、途中の段差や下方に向かって狭めた両側縁部等により三つ折りタイプの折り畳み傘が引っ掛かりそれ以上下部に落ち込まないため、容易に取り出せるようになっていて、更に、一般の長傘も格納できるものである。
尚、この傘袋についても、素材をゴム製等伸縮性に富んだものにして、更に三つ折りタイプの折り畳み傘を挿入しやすくしてもよい。
Ｃ．請求項３について
請求項１又は請求項２の傘袋の開口部や本体上部近辺に掛け紐を装着し、手提げや保持具への吊り下げを可能にしたもの。
Ｄ．請求項４について
請求項１又は請求項２の傘袋の本体上部近辺に手提げ用開口部を設けて、手提げや保持具への吊り下げを可能にしたもの。
Ｅ．請求項５について
地球環境に配慮したポリエチレン製等の素材でできた請求項１又は請求項２の傘袋。
【背景技術】
【０００２】従来、商店の入口などに設置されていた濡れ傘用の傘袋などは、一般の長傘用にできていた。
又、手提げ用の掛け紐や開口部がなかった。
更には、地球環境に配慮した素材でできた傘袋がなかった。
【発明が解決しようとする課題】
【０００３】従来、商店の入口などに設置されていた濡れ傘用の傘袋などは、一般の長傘用にできていて、三つ折りタイプの折り畳み傘が挿入しづらく、仮に挿入できたとしても、傘袋の下部まで傘が落ち込んでしまい、今度は取り出しづらくなってしまった。
又、手提げや保持具への吊り下げが容易でなかった。
更には、廃棄する際に環境負荷が高かった。
【課題を解決するための手段】
【０００４】Ａ．請求項１について
（イ）傘袋の袋状本体（１）を三つ折りタイプの折り畳み傘が折り畳んだ状態でも格納できる幅又は広さと、一般の長傘でも格納可能な長さを有する傘袋とする。
（ロ）或いは、常態時は一般の長傘向けの幅又は広さ、及び、長さであるものの、ゴム製等の伸縮性に富んだ素材を使用することにより、開口部（５）等を引っ張って広げるなどして三つ折りタイプの折り畳み傘を折り畳んだ状態でも容易に挿入できるようにした傘袋である。
Ｂ．請求項２について（逆凸型について）
（イ）本体（１）の三つ折りタイプの折り畳み傘が折り畳んだ状態でちょうど格納できる深さの所までの本体上部（２）を丁寧に巻いていない三つ折りタイプの折り畳み傘でも容易に挿入可能な広さとし、本体上部（２）の下部の両側縁部（６）を内側に向けて適宜段差（３）を設けて細くし、段差（３）より下の本体下部（４）を一般の長傘の先端部が挿入可能な太さと長さとした傘袋用シート２枚を開口部（５）以外の周縁部を張り合わせ袋状にした傘袋である。
尚、請求項１に記載したゴム製等の伸縮性に富んだ素材を使用してもよい。
Ｃ．請求項３について
（イ）開口部（５）や本体上部（２）近辺に保持具等に吊り下げ可能な掛け紐（７）を取り付けた請求項１又は請求項２の傘袋である。
尚、現在使用されている既存の傘袋に取付けてもいい。
Ｄ．請求項４について
（イ）本体上部（２）近辺に手提げ用開口部（８）を設けた請求項１又は請求項２の傘袋である。
尚、現在使用されている既存の傘袋に設けてもいい。
Ｅ．請求項５について
（イ）地球環境に配慮したポリエチレン製等の素材でできた請求項１又は請求項２の傘袋である。
尚、現在使用されている既存の傘袋に採用してもいい。
【発明を実施するための最良の形態】
【０００５】  以下、本発明の実施の形態について説明する。
Ａ．請求項１について
（イ）傘袋の袋状本体（１）を三つ折りタイプの折り畳み傘が折り畳んだ状態でも格納できる幅又は広さと、一般の長傘でも格納可能な長さを有する傘袋とする。
（ロ）或いは、常態時は一般の長傘向けの幅又は広さ、及び、長さであるものの、ゴム製等の伸縮性に富んだ素材を使用することにより、開口部（５）等を引っ張って広げるなどして三つ折りタイプの折り畳み傘を折り畳んだ状態でも容易に挿入できるようにした傘袋である。
Ｂ．請求項２について（逆凸型について）
（イ）本体（１）の三つ折りタイプの折り畳み傘が折り畳んだ状態でちょうど格納できる深さの所までの本体上部（２）を丁寧に巻いていない三つ折りタイプの折り畳み傘でも容易に挿入可能な広さとし、本体上部（２）の下部の両側縁部（６）を内側に向けて適宜段差（３）を設けて細くし、段差（３）より下の本体下部（４）を一般の長傘の先端部が挿入可能な太さと長さとした傘袋用シート２枚を開口部（５）以外の周縁部を張り合わせ袋状にした傘袋である。
尚、請求項１に記載したゴム製等の伸縮性に富んだ素材を使用してもよい。
Ｃ．請求項３について
（イ）開口部（５）や本体上部（２）近辺に保持具等に吊り下げ可能な掛け紐（７）を取り付けた請求項１又は請求項２の傘袋である。
尚、現在使用されている既存の傘袋に取付けてもいい。
Ｄ．請求項４について
（イ）本体上部（２）近辺に手提げ用開口部（８）を設けた請求項１又は請求項２の傘袋である。
尚、現在使用されている既存の傘袋に設けてもいい。
Ｅ．請求項５について
（イ）地球環境に配慮したポリエチレン製等の素材でできた請求項１又は請求項２の傘袋である。
尚、現在使用されている既存の傘袋に採用してもいい。
【発明の効果】
【０００６】本発明により、使用したばかりで丁寧に巻いていない三つ折りタイプの折り畳み傘でも容易に挿入でき、更には、途中に段差を設けたり、又は、下方に向けて急に狭まった形状にすることで、その段差や狭まった両側縁部等により三つ折りタイプの折り畳み傘が引っ掛かり、それ以上下部に落ち込まず容易に取り出すことができ、かつ、一般の長傘でも格納可能になる。
又、本体上部近辺に設けた掛け紐や開口部により手提げや保持具への吊り下げが容易になる。
更には、傘袋の素材をポリエチレン製等にすることで地球環境負荷を低減させることができる。
【図面の簡単な説明】
【図１】三つ折りタイプの折り畳み傘を折り畳んだ状態でも挿入可能な幅を有した傘袋の袋状本体（１）の斜視図である。
【図２】ゴム製等の素材でできた傘袋の開口部（５）を指で広げている状態の袋状本体（１）の斜視図である。
【図３】段差を設けた逆凸型の傘袋の袋状本体（１）の斜視図である。
【図４】本体上部（２）近辺に掛け紐（７）と手提げ用開口部（８）を取り付けた段差を設けた逆凸型の傘袋の袋状本体（１）の斜視図である。
【図５】段差を設けた逆凸型の傘袋の袋状本体（１）に折り畳み傘（９）を格納した時の正面からの透視図である。
【図６】段差を設けた逆凸型の傘袋の袋状本体（１）に一般の長傘（１０）を格納した時の正面からの透視図である。
【図７】段差部分を内側に向けてアーチ状に湾曲させた逆凸型の傘袋の袋状本体（１）の正面図である。
【図８】下部を直線的に絞り込んだ砲丸型とした傘袋の袋状本体（１）の正面図である。
【図９】上部は三つ折りタイプの折り畳み傘が折り畳んだ状態で挿入できる幅の開口部を有する逆三角形で、下部は一般の長傘も格納可能な太さと長さを有する漏斗型とした傘袋の袋状本体（１）の正面図である。
【図１０】上部を楔型とした傘袋の袋状本体（１）の斜視図である。
【図１１】開口部（５）からすぐに両側縁部（６）を急に狭めたタイプの傘袋の袋状本体（１）の正面図である。
【図１２】環境に配慮した素材を使用した、段差を設けた逆凸型の傘袋の袋状本体（１）の正面図である。
【符号の説明】
１  傘袋の袋状本体
２  本体上部
３  段差
４  本体下部
５  開口部
６  両側縁部
７  掛け紐
８  手提げ用開口部
９  折り畳み傘
１０  一般の長傘
１１  周縁部接着部
１２  環境に配慮した素材を使用した傘袋の袋状本体
【図１】
2006141981.tif 000003
【図２】
2006141981.tif 000004
【図３】
2006141981.tif 000005
【図４】
2006141981.tif 000006
【図５】
2006141981.tif 000007
【図６】
2006141981.tif 000008
【図７】
2006141981.tif 000009
【図８】
2006141981.tif 000010
【図９】
2006141981.tif 000011
【図１０】
2006141981.tif 000012
【図１１】
2006141981.tif 000013
【図１２】
2006141981.tif 000014